(57)【要約】      （修正有）【課題】対向する両側にそれぞれ少なくとも１つの第１の位置決め部及び少なくとも１つの第２の位置決め部を有するハードディスクをシャーシに組み立てるためのハードディスク組立装置を提供する。【解決手段】ハードディスク組立装置のフレキシブル固定枠２００の一方側に、第３の位置決め部２３４及び第１のガイド部２１２ａを備え、フレキシブル固定枠の他方側に、第４の位置決め部２１３ａ、持上げベルト２２０及び２つの係止部２２４Ａ，２２４Ｂを備える。２つの係止部は、それぞれ持上げベルトの両端に対応して接続されている。第３の位置決め部が第１の位置決め部に係合し、第４の位置決め部が第２の位置決め部に係合することにより、ハードディスクをフレキシブル固定枠に固定する。第１のガイド部が第２のガイド部に係合し、２つの係止部がそれぞれ２つの位置制限部に対応して係合することにより、フレキシブル固定枠を固定ブラケットに固定する。【選択図】図４
2020009525.tif 000002
【特許請求の範囲】
【請求項１】
対向する両側にそれぞれ少なくとも１つの第１の位置決め部及び少なくとも１つの第２の位置決め部を有するハードディスクをシャーシ内に組み立てるためのハードディスク組立装置であって、
一方側に少なくとも１つの第３の位置決め部及び少なくとも１つの第１のガイド部を備え、他方側に少なくとも１つの第４の位置決め部、持上げベルト、及びそれぞれ前記持上げベルトの両端に対応して接続されている２つの係止部を備えるフレキシブル固定枠であって、前記フレキシブル固定枠への前記ハードディスクの組立時、前記少なくとも１つの第３の位置決め部が前記少なくとも１つの第１の位置決め部に係合し、前記少なくとも１つの第４の位置決め部が前記少なくとも１つの第２の位置決め部に係合することにより、前記ハードディスクを前記フレキシブル固定枠内に固定するフレキシブル固定枠と、
前記シャーシ内に固定可能であり、底側に少なくとも１つの第２のガイド部を有し、両側にそれぞれ位置制限部を有する固定ブラケットであって、前記固定ブラケットへの前記フレキシブル固定枠の組立時、前記少なくとも１つの第１のガイド部が前記少なくとも１つの第２のガイド部に係合し、前記２つの係止部がそれぞれ前記２つの位置制限部に対応して係合することにより、前記フレキシブル固定枠を前記固定ブラケットに固定する固定ブラケットと、
を備えることを特徴とするハードディスク組立装置。
【請求項２】
前記フレキシブル固定枠は、プラスチック材料であり、前記フレキシブル固定枠は、弾性変形することができることを特徴とする請求項１に記載のハードディスク組立装置。
【請求項３】
前記固定ブラケットは、金属材料であることを特徴とする請求項１に記載のハードディスク組立装置。
【請求項４】
前記少なくとも１つの第１の位置決め部及び前記少なくとも１つの第２の位置決め部は、孔状構造であり、前記少なくとも１つの第３の位置決め部及び前記少なくとも１つの第４の位置決め部は、前記少なくとも１つの第１の位置決め部及び前記少なくとも１つの第２の位置決め部に対応する柱状構造であり、前記少なくとも１つの第３の位置決め部及び前記少なくとも１つの第４の位置決め部がそれぞれ前記少なくとも１つの第１の位置決め部及び前記少なくとも１つの第２の位置決め部内に対応して係合することにより、前記ハードディスクと前記フレキシブル固定枠との間の相対的位置を制限することを特徴とする請求項１に記載のハードディスク組立装置。
【請求項５】
前記少なくとも１つの第１のガイド部は、柱状構造であり、前記少なくとも１つの第２のガイド部は、前記少なくとも１つの第１のガイド部に対応する孔状構造であり、前記少なくとも１つの第１のガイド部が前記少なくとも１つの第２のガイド部内に係合することにより、前記フレキシブル固定枠と前記固定ブラケットとの間の相対的位置を制限することを特徴とする請求項１に記載のハードディスク組立装置。
【請求項６】
前記２つの係止部は、ホック状構造であり、前記２つの位置制限部は、前記２つの係止部に対応する孔状構造であり、前記２つの係止部が前記２つの位置制限部内に係合することにより、前記フレキシブル固定枠と前記固定ブラケットとの間の相対的位置を制限することを特徴とする請求項１に記載のハードディスク組立装置。
【請求項７】
前記フレキシブル固定枠は、
枠体であって、前記少なくとも１つの第３の位置決め部が前記枠体に結合されており、前記少なくとも１つの第１のガイド部及び前記少なくとも１つの第４の位置決め部がそれぞれ前記枠体に接続されており、前記持上げベルトの両端がそれぞれ前記枠体に接続されており、前記ハードディスクを収容するための枠体を備え、前記少なくとも１つの第３の位置決め部は、前記少なくとも１つの第１のガイド部と前記少なくとも１つの第４の位置決め部との間に位置し、前記少なくとも１つの第４の位置決め部は、前記少なくとも１つの第３の位置決め部と前記持上げベルトとの間に位置することを特徴とする請求項１に記載のハードディスク組立装置。
【請求項８】
前記枠体、前記少なくとも１つの第１のガイド部、前記少なくとも１つの第４の位置決め部、前記持上げベルト及び前記２つの係止部は、一体成形で一括成形されてなることを特徴とする請求項７に記載のハードディスク組立装置。
【請求項９】
前記枠体は、
底枠と、
前記底枠の一方側に接続されている第１の側壁であって、前記少なくとも１つの第３の位置決め部が前記第１の側壁に結合されており、前記少なくとも１つの第１のガイド部が前記第１の側壁に接続されている第１の側壁と、
前記底枠の他方側に接続されている第２の側壁であって、前記少なくとも１つの第４の位置決め部、前記持上げベルト及び前記２つの係止部が前記第２の側壁に接続されている第２の側壁と、
を備えることを特徴とする請求項７に記載のハードディスク組立装置。
【請求項１０】
前記フレキシブル固定枠は、前記第１の側壁と前記第２の側壁との間に位置し、且つ前記底枠の一方側に位置する第１の隙間と、前記第１の側壁と前記第２の側壁との間に位置し、且つ前記底枠の他方側に位置する第２の隙間とをさらに備え、前記第１の隙間及び前記第２の隙間は、前記第２の側壁を前記第１の側壁から離れた方向に弾性変形しやすくするためのものであることを特徴とする請求項９に記載のハードディスク組立装置。
【請求項１１】
前記底枠は、
第１の接続部と、
前記第１の接続部に接続されている第２の接続部と、
前記第２の接続部に接続されている第３の接続部と、を備え、
前記第２の接続部は、前記第１の接続部と前記第３の接続部との間に位置し、前記第１の側壁は、前記第１の接続部、前記第２の接続部及び前記第３の接続部の一端に接続されており、前記第２の側壁は、前記第１の接続部、前記第２の接続部及び前記第３の接続部の他端に接続されていることを特徴とする請求項９に記載のハードディスク組立装置。
【請求項１２】
前記底枠は、
両端が前記第１の接続部の一端及び前記第２の接続部の一端に接続されている第４の接続部と、
両端が前記第１の接続部の他端及び前記第２の接続部の他端に接続されている第５の接続部と、
両端が前記第２の接続部の一端及び前記第３の接続部の一端に接続されており、前記第４の接続部との間に前記第２の接続部が位置する第６の接続部と、
両端が前記第２の接続部の他端及び前記第３の接続部の他端に接続されており、前記第５の接続部との間に前記第２の接続部が位置する第７の接続部と、をさらに備え、
前記第１の側壁は、前記第４の接続部及び前記第６の接続部に接続されており、前記第２の側壁は、前記第５の接続部及び前記第７の接続部に接続されていることを特徴とする請求項１１に記載のハードディスク組立装置。
【請求項１３】
前記第１の接続部の幅は、前記第２の接続部の幅及び前記第３の接続部の幅よりも大きく、前記フレキシブル固定枠全体の強度を強めることを特徴とする請求項１１に記載のハードディスク組立装置。
【請求項１４】
前記第１の接続部は、前記第２の側壁を前記第１の側壁から離れた方向に弾性変形しやすくするための窪みを有することを特徴とする請求項１１に記載のハードディスク組立装置。
【請求項１５】
前記底枠は、前記第１の接続部と前記第２の接続部との間に第１の開口を有し、前記底枠は、前記第２の接続部と前記第３の接続部との間に第２の開口を有し、前記第１の開口及び前記第２の開口は、前記第２の側壁を前記第１の側壁から離れた方向に弾性変形しやすくするためのものであることを特徴とする請求項１１に記載のハードディスク組立装置。
【請求項１６】
前記フレキシブル固定枠は、少なくとも１つの位置決め部材をさらに備え、前記枠体は、少なくとも１つの第１の係止孔及び前記少なくとも１つの第１の係止孔に連通する少なくとも１つの第２の係止孔を有し、
前記少なくとも１つの位置決め部材は、
前記少なくとも１つの第１の係止孔に貫通するための本体と、
前記本体に接続されており、前記少なくとも１つの第１の係止孔及び前記少なくとも１つの第２の係止孔の一方に貫通するための貫入部であって、前記貫入部が前記第２の係止孔に移入すると、前記位置決め部材は、前記枠体に固定される貫入部と、
前記貫入部に接続されているバッファ部であって、前記貫入部は、前記本体と前記バッファ部との間に位置し、前記少なくとも１つの第３の位置決め部は、前記バッファ部に接続されており、前記貫入部と前記少なくとも１つの第３の位置決め部との間に位置し、前記ハードディスクに当接して前記シャーシから前記ハードディスクに伝達される振動量を低減させるためのバッファ部と、
を備えることを特徴とする請求項７に記載のハードディスク組立装置。
【請求項１７】
前記少なくとも１つの第１の係止孔の孔径は、前記少なくとも１つの第２の係止孔の孔径よりも大きく、前記本体の外径は、前記少なくとも１つの第１の係止孔の孔径と等しく、前記貫入部の外径は、前記少なくとも１つの第２の係止孔の孔径と等しく、前記バッファ部の外径は、前記少なくとも１つの第１の係止孔の孔径及び前記少なくとも１つの第２の係止孔の孔径よりも大きいことを特徴とする請求項１６に記載のハードディスク組立装置。
【請求項１８】
前記持上げベルトは、
両端がそれぞれ前記枠体に接続されているベルト本体と、
前記ベルト本体に接続されており、前記ベルト本体を前記枠体から離れた方向に弾性変形させるための持上げ部と、
前記ベルト本体に接続されており、前記持上げ部が間に位置し、前記２つの係止部を前記２つの位置制限部内に移入させるための２つの押圧部と、
を備えることを特徴とする請求項７に記載のハードディスク組立装置。
【請求項１９】
前記持上げベルトは、前記ベルト本体の両端に接続されて前記持上げベルトと前記枠体との間の接続箇所の接続強度を増加させる２つの強化部をさらに備えることを特徴とする請求項１８に記載のハードディスク組立装置。
【請求項２０】
前記フレキシブル固定枠は、前記持上げベルトと前記枠体との間に位置し、前記持上げベルトを前記２つの位置制限部から離れた方向に弾性変形しやすくすることにより、さらに前記２つの係止部を前記２つの位置制限部から移出させるための第３の隙間を有することを特徴とする請求項１８に記載のハードディスク組立装置。
【発明の詳細な説明】
【技術分野】
【０００１】
本発明は、ハードディスク組立装置に関し、特にハードディスクをシャーシに組み立てるハードディスク組立装置に関する。
【背景技術】
【０００２】
デスクトップコンピュータは、内部の放熱空間が大きく、さらに高熱を放出するものの、効能の高い電子デバイスを使用可能であるため、携帯式電子装置に比べれば、高作動効能、大容量の格納空間及び大容量のメモリなどの利点を持つので、レジャー用途にも商工業用途にも人気が高い。従来のデスクトップコンピュータでは、ハードディスクをシャーシに組み立てる設計方式は、主要にハードディスクをねじでシャーシに固定することである。しかしながら、ハードディスクをねじでシャーシに締め付けるという固定手段は、生産ラインでの組立の過程が繁雑であるため、組立工数が長くなるという問題があるだけでなく、その後のハードディスクのメンテナンス又は交換時に、取り外しツールとしてねじ回しを使用する必要があり、メンテナンス又は交換の操作手順が繁雑になり、不便で時間がかかってしまう。
【発明の概要】
【０００３】
本発明は、ハードディスクの組立、メンテナンス及び交換の便利性を向上させるハードディスク組立装置に関する。
【０００４】
本発明によれば、ハードディスク組立装置は、対向する両側にそれぞれ少なくとも１つの第１の位置決め部及び少なくとも１つの第２の位置決め部を有するハードディスクをシャーシ内に組み立てるためのものである。ハードディスク組立装置は、フレキシブル固定枠及び固定ブラケットを備える。フレキシブル固定枠の一方側には、少なくとも１つの第３の位置決め部及び少なくとも１つの第１のガイド部を備え、フレキシブル固定枠の他方側には、少なくとも１つの第４の位置決め部、持上げベルト及び２つの係止部を備える。２つの係止部は、それぞれ持上げベルトの両端に対応して接続されている。フレキシブル固定枠へのハードディスクの組立時、少なくとも１つの第３の位置決め部が少なくとも１つの第１の位置決め部に係合し、少なくとも１つの第４の位置決め部が少なくとも１つの第２の位置決め部に係合することにより、ハードディスクをフレキシブル固定枠内に固定する。固定ブラケットは、シャーシ内に固定可能であり、固定ブラケットの底側には、少なくとも１つの第２のガイド部を有し、固定ブラケットの両側には、それぞれ位置制限部を有する。固定ブラケットへのフレキシブル固定枠の組立時、少なくとも１つの第１のガイド部が少なくとも１つの第２のガイド部に係合し、２つの係止部がそれぞれ２つの位置制限部に対応して係合することにより、フレキシブル固定枠を固定ブラケットに固定する。
【０００５】
本発明の実施例によるハードディスク組立装置において、フレキシブル固定枠は、プラスチック材料であり、フレキシブル固定枠は、弾性変形することができる。
【０００６】
本発明の実施例によるハードディスク組立装置において、固定ブラケットは、金属材料である。
【０００７】
本発明の実施例によるハードディスク組立装置において、少なくとも１つの第１の位置決め部及び前記少なくとも１つの第２の位置決め部は、孔状構造であり、前記少なくとも１つの第３の位置決め部及び前記少なくとも１つの第４の位置決め部は、前記少なくとも１つの第１の位置決め部及び前記少なくとも１つの第２の位置決め部に対応する柱状構造であり、前記少なくとも１つの第３の位置決め部及び前記少なくとも１つの第４の位置決め部がそれぞれ前記少なくとも１つの第１の位置決め部及び前記少なくとも１つの第２の位置決め部内に対応して係合することにより、前記ハードディスクと前記フレキシブル固定枠との間の相対的位置を制限する。
【０００８】
本発明の実施例によるハードディスク組立装置において、少なくとも１つの第１のガイド部は、柱状構造であり、少なくとも１つの第２のガイド部は、少なくとも１つの第１のガイド部に対応する孔状構造であり、少なくとも１つの第１のガイド部が少なくとも１つの第２のガイド部内に係合することにより、フレキシブル固定枠と固定ブラケットとの間の相対的位置を制限する。
【０００９】
本発明の実施例によるハードディスク組立装置において、２つの係止部は、ホック状構造であり、２つの位置制限部は、２つの係止部に対応する孔状構造であり、２つの係止部が２つの位置制限部内に係合することにより、フレキシブル固定枠と固定ブラケットとの間の相対的位置を制限する。
【００１０】
本発明の実施例によるハードディスク組立装置において、フレキシブル固定枠は、枠体であって、少なくとも１つの第３の位置決め部が枠体に結合されており、少なくとも１つの第１のガイド部及び少なくとも１つの第４の位置決め部がそれぞれ枠体に接続されており、持上げベルトの両端がそれぞれ枠体に接続されており、ハードディスクを収容するための枠体を備え、少なくとも１つの第３の位置決め部は、少なくとも１つの第１のガイド部と少なくとも１つの第４の位置決め部との間に位置し、少なくとも１つの第４の位置決め部は、少なくとも１つの第３の位置決め部と持上げベルトとの間に位置する。
【００１１】
本発明の実施例によるハードディスク組立装置において、枠体、少なくとも１つの第１のガイド部、少なくとも１つの第４の位置決め部、持上げベルト及び２つの係止部は、一体成形で一括成形されてなる。
【００１２】
本発明の実施例によるハードディスク組立装置において、枠体は、底枠と、第１の側壁と、第２の側壁とを備える。第１の側壁は、底枠の一方側に接続されており、少なくとも１つの第３の位置決め部は、第１の側壁に結合されており、少なくとも１つの第１のガイド部は、第１の側壁に接続されている。第２の側壁は、底枠の他方側に接続されており、少なくとも１つの第４の位置決め部、持上げベルト及び２つの係止部は、第２の側壁に接続されている。
【００１３】
本発明の実施例によるハードディスク組立装置において、フレキシブル固定枠は、第１の側壁と第２の側壁との間に位置し、且つ底枠の一方側に位置する第１の隙間と、第１の側壁と第２の側壁との間に位置し、且つ底枠の他方側に位置する第２の隙間とをさらに備え、第１の隙間及び第２の隙間は、第２の側壁を第１の側壁から離れた方向に弾性変形しやすくするためのものである。
【００１４】
本発明の実施例によるハードディスク組立装置において、底枠は、第１の接続部と、第２の接続部と、第３の接続部とを備える。第２の接続部は、第１の接続部に接続されている。第３の接続部は、第２の接続部に接続されており、第２の接続部は、第１の接続部と第３の接続部との間に位置し、第１の側壁は、第１の接続部、第２の接続部及び第３の接続部の一端に接続されており、第２の側壁は、第１の接続部、第２の接続部及び第３の接続部の他端に接続されている。
【００１５】
本発明の実施例によるハードディスク組立装置において、底枠は、第４の接続部と、第５の接続部と、第６の接続部と、第７の接続部とをさらに備える。第４の接続部の両端は、第１の接続部の一端及び第２の接続部の一端に接続されている。第５の接続部の両端は、第１の接続部の他端及び第２の接続部の他端に接続されている。第６の接続部の両端は、第２の接続部の一端及び第３の接続部の一端に接続されており、第２の接続部は、第４の接続部と第６の接続部との間に位置する。第７の接続部の両端は、第２の接続部の他端及び第３の接続部の他端に接続されており、第２の接続部は、第５の接続部と第７の接続部との間に位置し、第１の側壁は、第４の接続部及び第６の接続部に接続されており、第２の側壁は、第５の接続部及び第７の接続部に接続されている。
【００１６】
本発明の実施例によるハードディスク組立装置において、第１の接続部の幅は、第２の接続部の幅及び第３の接続部の幅よりも大きく、フレキシブル固定枠全体の強度を強める。
【００１７】
本発明の実施例によるハードディスク組立装置において、第１の接続部は、第２の側壁を第１の側壁から離れた方向に弾性変形しやすくするための窪みを有する。
【００１８】
本発明の実施例によるハードディスク組立装置において、底枠は、第１の接続部と第２の接続部との間に第１の開口を有し、底枠は、第２の接続部と第３の接続部との間に第２の開口を有し、第１の開口及び第２の開口は、第２の側壁を第１の側壁から離れた方向に弾性変形しやすくするためのものである。
【００１９】
本発明の実施例によるハードディスク組立装置において、フレキシブル固定枠は、少なくとも１つの位置決め部材をさらに備え、枠体は、少なくとも１つの第１の係止孔及び少なくとも１つの第１の係止孔に連通する少なくとも１つの第２の係止孔を有し、少なくとも１つの位置決め部材は、本体と、貫入部と、バッファ部とを備える。本体は、少なくとも１つの第１の係止孔に貫通するためのものである。貫入部は、本体に接続されており、少なくとも１つの第１の係止孔及び少なくとも１つの第２の係止孔の一方に貫通し、貫入部が第２の係止孔に移入すると、位置決め部材は、枠体に固定される。バッファ部は、貫入部に接続されており、貫入部は、本体とバッファ部との間に位置し、少なくとも１つの第３の位置決め部は、バッファ部に接続されており、バッファ部は、貫入部と少なくとも１つの第３の位置決め部との間に位置し、バッファ部は、ハードディスクに当接してシャーシからハードディスクに伝達される振動量を低減させるためのものである。
【００２０】
本発明の実施例によるハードディスク組立装置において、少なくとも１つの第１の係止孔の孔径は、少なくとも１つの第２の係止孔の孔径よりも大きく、本体の外径は、少なくとも１つの第１の係止孔の孔径と等しく、貫入部の外径は、少なくとも１つの第２の係止孔の孔径と等しく、バッファ部の外径は、少なくとも１つの第１の係止孔の孔径及び少なくとも１つの第２の係止孔の孔径よりも大きい。
【００２１】
本発明の実施例によるハードディスク組立装置において、持上げベルトは、ベルト本体と、持上げ部と、２つの押圧部とを備える。ベルト本体の両端は、それぞれ枠体に接続されている。持上げ部は、ベルト本体に接続されており、ベルト本体を枠体から離れた方向に弾性変形させるためのものである。２つの押圧部は、ベルト本体に接続されており、持上げ部は、２つの押圧部の間に位置し、２つの押圧部は、２つの係止部を２つの位置制限部内に移入させるためのものである。
【００２２】
本発明の実施例によるハードディスク組立装置において、持上げベルトは、ベルト本体の両端に接続されて持上げベルトと枠体との間の接続箇所の接続強度を増加させる２つの強化部をさらに備える。
【００２３】
本発明の実施例によるハードディスク組立装置において、フレキシブル固定枠は、持上げベルトと枠体との間に位置し、持上げベルトを２つの位置制限部から離れた方向に弾性変形しやすくすることにより、さらに２つの係止部を２つの位置制限部から移出させるための第３の隙間を有する。
【００２４】
以上をまとめると、ユーザがハードディスクの交換又はメンテナンスを必要とする場合、本発明のハードディスク組立装置のクイックリリース設計により、何のツールも頼らずにフレキシブル固定枠を固定ブラケットから直接に抜き取るとともに、ハードディスクをフレキシブル固定枠から抜き取ることができる。ハードディスクの取り外しは、迅速で便利であるので、従来の組立におけるねじの使用の必要を免除することができる。ハードディスクの組立、メンテナンス及び交換のいずれも、何の分解組立ツールも要らないため、ハードディスクの組立、メンテナンス及び交換における便利性を向上させることもできる。
【図面の簡単な説明】
【００２５】
【図１】本発明の一実施例のハードディスク組立装置の斜視模式図であり、ハードディスクがハードディスク組立装置に組み立てられており、ハードディスク組立装置がシャーシに組み立てられていることを示す。
【図２】図１のハードディスク組立装置の斜視模式図であり、ハードディスクがハードディスク組立装置に組み立てられていることを示す。
【図３】図１におけるハードディスクが取り付けられているハードディスク組立装置及びシャーシの分解模式図である。
【図４】図２のフレキシブル固定枠の分解模式図である。
【図５】図４のフレキシブル固定枠の正面模式図である。
【図６】図２の固定ブラケットの模式図である。
【図７】ハードディスクがフレキシブル固定枠により固定ブラケットに組み立てられる組立フローである。
【図８】ハードディスクがフレキシブル固定枠により固定ブラケットに組み立てられる組立フローである。
【図９】ハードディスクがフレキシブル固定枠により固定ブラケットに組み立てられる組立フローである。
【図１０】ハードディスクがフレキシブル固定枠により固定ブラケットに組み立てられる組立フローである。
【発明を実施するための形態】
【００２６】
本発明の例示的な実施例を詳しく参照し、図面に例示的な実施例のケースを説明する。可能ならば、図面及び明細書において、同一の符号で同一又は類似の部分を示す。
【００２７】
図１は、本発明の一実施例のハードディスク組立装置の斜視模式図であり、ハードディスク400がハードディスク組立装置100に組み立てられており、ハードディスク組立装置100がシャーシ500に組み立てられていることを示す。図２は、図１のハードディスク組立装置の斜視模式図であり、ハードディスク400がハードディスク組立装置100に組み立てられていることを示す。図３は、図１におけるハードディスクが取り付けられているハードディスク組立装置及びシャーシの分解模式図である。図１〜図３を参照し、ハードディスク組立装置100は、ハードディスク400をシャーシ500内に組み立てるためのものであり、換言すれば、ハードディスク400は、ハードディスク組立装置100によりシャーシ500内に組み立てられることができる。本発明は、ハードディスク400とハードディスク組立装置100との間の迅速分解組立構造で従来の組立におけるねじの使用の必要を免除することができる。ハードディスクの組立、メンテナンス及び交換のいずれも、何の分解組立ツールも要らないため、ハードディスクの組立、メンテナンス及び交換における便利性を向上させることもできる。
【００２８】
図４は、図２のフレキシブル固定枠の分解模式図である。図５は、図４のフレキシブル固定枠の正面模式図である。図６は、図２の固定ブラケットの模式図である。図７〜図１０は、ハードディスクがフレキシブル固定枠により固定ブラケットに組み立てられる組立フローである。詳細には、図１、図２、図７及び図８を参照し、ハードディスク400は、互いに対向する第１の側A1及び第２の側A2を有し、ハードディスク400は、第１の側A1に少なくとも１つの第１の位置決め部410を有し、ハードディスク400は、第２の側A2に少なくとも１つの第２の位置決め部420を有する。ハードディスク組立装置100は、フレキシブル固定枠200及び固定ブラケット300を備え、ハードディスク400は、フレキシブル固定枠200に組み立てるためのものであり、フレキシブル固定枠200は、固定ブラケット300に組み立てるためのものであり、固定ブラケット300は、シャーシ500に組み立てるためのものである。フレキシブル固定枠200は、互いに対向する第３の側B1及び第４の側B2を有し、フレキシブル固定枠200は、第３の側B1に少なくとも１つの第３の位置決め部234及び少なくとも１つの第１のガイド部212aを備え、フレキシブル固定枠200は、第４の側B2に少なくとも１つの第４の位置決め部213a、持上げベルト220及び２つの係止部224A、224Bを備え、２つの係止部224A、224Bは、持上げベルト220の対向する両端に接続されている。本実施例において、前記少なくとも１つの第１の位置決め部410、少なくとも１つの第２の位置決め部420、少なくとも１つの第３の位置決め部234及び少なくとも１つの第４の位置決め部213aの数は、例えば２つであるが、これに限らず、説明の便宜上、前記各位置決め部は、以下、一方のみを説明する。フレキシブル固定枠200へのハードディスク400の組立時、第３の位置決め部234が第１の位置決め部410に係合し、第４の位置決め部213aが第２の位置決め部420に係合することにより、ハードディスク400をフレキシブル固定枠200に固定する。
【００２９】
一方で、図２、図６及び図１０を参照し、固定ブラケット300は、底側C1と、互いに対向する第５の側C2及び第６の側C3とを有し、固定ブラケット300は、底側C1に少なくとも１つの第２のガイド部310を有し、固定ブラケット300は、第５の側C2に位置制限部320A及び案内部330Aを有し、固定ブラケット300は、第６の側C3に位置制限部320B及び案内部330Bを有する。本実施例において、前記少なくとも１つの第１のガイド部212a及び少なくとも１つの第２のガイド部310の数は、例えば２つであるが、これに限らず、説明の便宜上、前記各ガイド部は、以下、一方のみを説明する。２つの係止部224A、224Bがそれぞれ２つの案内部330A、330Bに当接することにより、フレキシブル固定枠200を、固定ブラケット300に正確に組み立てる位置に滑り落ちるように案内する。第１のガイド部212aが第２のガイド部310内に挿入されることにより、フレキシブル固定枠200を固定ブラケット300に正確に組み立てる位置に案内する。固定ブラケット300へのフレキシブル固定枠200の組立時、第１のガイド部212aが第２のガイド部310に係合し、２つの係止部224A、224Bがそれぞれ２つの位置制限部320A、320Bに対応して係合することにより、フレキシブル固定枠200を固定ブラケット300に固定する。例えば、固定ブラケット300は、金属材料であってもよいが、これに限らない。
【００３０】
図４及び図７を参照し、例えば、ハードディスク400の第１の位置決め部410及び第２の位置決め部420は、孔状構造であり、フレキシブル固定枠200の第３の位置決め部234及び第４の位置決め部213aは、第１の位置決め部410及び第２の位置決め部420に対応する柱状構造（孔状構造に対応する柱状構造ともいう）であり、フレキシブル固定枠200の第３の位置決め部234及び第４の位置決め部213aは、ハードディスク400の第１の位置決め部410及び第２の位置決め部420に貫通し、ハードディスク400とフレキシブル固定枠200との間の相対的位置を制限するためのものであるが、これに限らない。
【００３１】
図６、図７及び図１０を参照し、例えば、フレキシブル固定枠200の第１のガイド部212aは、柱状構造であり、固定ブラケット300の第２のガイド部310は、第１のガイド部212aに対応する孔状構造（柱状構造に対応する孔状構造ともいう）であり、フレキシブル固定枠200の第１のガイド部212aは、固定ブラケット300の第２のガイド部310に貫通し、フレキシブル固定枠200と固定ブラケット300との間の相対的位置を制限するためのものであるが、これに限らない。
【００３２】
図１〜図３を参照し、本実施例において、シャーシ500は、複数の第１の係合部510を備え、固定ブラケット300は、複数の第１の係合部510に対応する複数の第２の係合部340を備える。例えば、固定ブラケット300の第２の係合部340は、ホック状構造であり、シャーシ500の第１の係合部510は、第２の係合部340に対応する孔状構造（ホック状構造に対応する孔状構造ともいう）であり、固定ブラケット300の第２の係合部340がシャーシ500の第１の係合部510に貫通してシャーシに係止することにより、固定ブラケット300とシャーシ500との間の相対的位置を制限するためのものであるが、これに限らない。
【００３３】
図４、図５及び図７を参照し、フレキシブル固定枠200は枠体210を備える。第３の位置決め部234は枠体210に結合されており、第１のガイド部212a及び第４の位置決め部213aは、それぞれ枠体210に接続されており、持上げベルト220の対向する両端は、それぞれ枠体210に接続されており、枠体210は、ハードディスク400を収容するためのものであり、第３の位置決め部234は、第１のガイド部212aと第４の位置決め部213aとの間に位置し、第４の位置決め部213aは、第３の位置決め部234と持上げベルト220との間に位置する。本実施例において、フレキシブル固定枠200は、例えばプラスチック材料であり、プラスチック材料のフレキシブル固定枠200は、弾性変形することによりハードディスク400を固定し、或いは、フレキシブル固定枠200を固定ブラケット300に固定するためのものであるが、これに限らない。例を挙げると、前記枠体210、第１のガイド部212a、第４の位置決め部213a、持上げベルト220及び２つの係止部224A、224Bは、例えば、一体成形で一括成形されたものであってもよいが、これに限らない。
【００３４】
具体的には、枠体210は、底枠211、第１の側壁212及び第２の側壁213を備える。第１の側壁212は、底枠211の一方側に接続されており、ハードディスク400の第１の側A1に対応し、第２の側壁213は、底枠211の他方側に接続されており、ハードディスク400の第２の側A2に対応する。第３の位置決め部234は、第１の側壁212に結合されており、第１のガイド部212aは、第１の側壁212に接続されており、第４の位置決め部213a、持上げベルト220及び２つの係止部224A、224Bは、第２の側壁213に接続されている。
【００３５】
本実施例において、フレキシブル固定枠200は、第１の側壁212と第２の側壁213との間に位置し、且つ底枠211の一方側に位置する第１の隙間T1と、第１の側壁212と第２の側壁213との間に位置し、且つ底枠211の他方側に位置する第２の隙間T2とをさらに備え、第１の隙間T1及び第２の隙間T2は、第２の側壁213を第１の側壁212から離れた方向に弾性変形しやすくするためのものである。一方で、第２の隙間T2の幅は、第１の隙間T1の幅よりも大きく、第２の隙間T2から配線（不図示）を通してハードディスク400を外部の電子デバイス（不図示）に接続させてもよいが、これに限らない。
【００３６】
次いで、図４、図５及び図７を参照し、さらには、底枠211は、第１の接続部211a、第２の接続部211b及び第３の接続部211cを備える。第２の接続部211bは、第１の接続部211aに接続されており、第３の接続部211cは、第２の接続部211bに接続されており、第２の接続部211bは、第１の接続部211aと第３の接続部211cとの間に位置する。第１の側壁212は、第１の接続部211a、第２の接続部211b及び第３の接続部211cの一端に接続されており、第２の側壁213は、第１の接続部211a、第２の接続部211b及び第３の接続部211cの他端に接続されている。
【００３７】
本実施例において、フレキシブル固定枠200は、第２の接続部211bの幅が第３の接続部211cの幅と等しく、第１の接続部211aの幅が第２の接続部211bの幅及び第３の接続部211cの幅よりも大きく、これにより、フレキシブル固定枠200全体の強度を強める。このように、フレキシブル固定枠200の耐疲労強度を増加させ、フレキシブル固定枠200の使用寿命を増加させることができる。
【００３８】
一方で、第１の接続部211aは、窪み211a1を有し、ここで、第１の接続部211aの窪み211a1とは、第１の接続部211aにおける厚みの比較的に薄い箇所を意味する。第１の接続部211aの幅が第２の接続部211b及び第３の接続部211cの幅よりも大きいので、第１の接続部211aの厚みをある箇所において相対的に低減させることで、第２の側壁213を第１の側壁212から離れた方向に弾性変形しやすくすることができる。例えば、窪み211a1の配置位置は、第１の接続部211aの中段としてもよいが、これに限らない。
【００３９】
本実施例のフレキシブル固定枠200において、底枠211は、第１の接続部211aと第２の接続部211bとの間に第１の開口O1を有し、底枠211は、第２の接続部211bと第３の接続部211cとの間に第２の開口O2を有し、第１の開口O1及び第２の開口O2は、第２の側壁213を第１の側壁212から離れた方向に弾性変形しやすくするとともに、ハードディスク400の放熱に寄与することができる。
【００４０】
底枠211は、第４の接続部211d、第５の接続部211e、第６の接続部211f及び第７の接続部211gをさらに備えてもよい。第４の接続部211dの両端は、第１の接続部211aの一端及び第２の接続部211bの一端に接続されており、第５の接続部211eの両端は、第１の接続部211aの他端及び第２の接続部211bの他端に接続されており、第６の接続部211fの両端は、第２の接続部211bの一端及び第３の接続部211cの一端に接続されており、第７の接続部211gの両端は、第２の接続部211bの他端及び第３の接続部211cの他端に接続されており、第１の側壁212は、第４の接続部211d及び第６の接続部211fに接続されており、第２の側壁213は、第５の接続部211e及び第７の接続部211gに接続されている。換言すれば、第２の接続部211bは、第４の接続部211dと第６の接続部211fとの間に位置し、第２の接続部211bは、第５の接続部211eと第７の接続部211gとの間に位置する。また、第１の接続部211a、第２の接続部211b、第４の接続部211d及び第５の接続部211eにより、前記第１の開口O1を囲み形成し、第２の接続部211b、第３の接続部211c、第５の接続部211e及び第７の接続部211gにより、前記第２の開口O2を囲み形成してもよいが、これに限らない。
【００４１】
図４及び図５を参照し、フレキシブル固定枠200は、少なくとも１つの位置決め部材230をさらに備え、フレキシブル固定枠200は、枠体210の第１の側壁212に少なくとも１つの第１の係止孔212bと、少なくとも１つの第１の係止孔212bに連通する少なくとも１つの第２の係止孔212cとを有する。例えば、少なくとも１つの位置決め部材230、少なくとも１つの第１の係止孔212b及び少なくとも１つの第２の係止孔212cの数は２つであり、説明の便宜上、前記２つの位置決め部材230、２つの第１の係止孔212b及び２つの第２の係止孔212cは、以下、一方のみを説明する。位置決め部材230は、本体231、貫入部232及びバッファ部233を備える。本体231は、第１の係止孔212bに貫通するためのものであり、貫入部232は、本体231に接続されており、第１の係止孔212b及び第２の係止孔212cの一方に貫通するためのものである。バッファ部233は、貫入部232に接続されており、貫入部232は、本体231とバッファ部233との間に位置し、第３の位置決め部234は、バッファ部233に接続されており、バッファ部233は、貫入部232と第３の位置決め部234との間に位置し、バッファ部233は、ハードディスク400に当接し、シャーシ500からハードディスク400に伝達される振動量を低減させるためのものである。
【００４２】
例えば、第１の係止孔212bの孔径は、第２の係止孔212cの孔径よりも大きく、本体231の外径は、第１の係止孔212bの孔径と等しく、貫入部232の外径は、第２の係止孔212cの孔径と等しく、バッファ部233の外径は、第１の係止孔212bの孔径及び第２の係止孔212cの孔径よりも大きい。換言すれば、位置決め部材230の本体231における外径が位置決め部材230の貫入部232における外径よりも大きく、本体231の外径及びバッファ部233の外径がそれぞれ第２の係止孔212cの孔径よりも大きいので、貫入部232が第２の係止孔212cに移入すると、本体231及びバッファ部233により、それぞれ第１の側壁212が挟まれ、これにより位置決め部材230を枠体210に固定することができる。
【００４３】
本実施例において、持上げベルト220は、ベルト本体221、持上げ部222、２つの押圧部223及び前記２つの係止部224A、224Bを備える。ベルト本体221の両端は、それぞれ枠体210に接続されている。持上げ部222は、ベルト本体221に接続されており、ベルト本体221を枠体210から離れた方向に弾性変形させるためのものである。２つの押圧部223は、ベルト本体221に接続されており、持上げ部222は、２つの押圧部223の間に位置する。２つの係止部224A、224Bは、ベルト本体221の対向する両端に接続されている。２つの押圧部223は、２つの係止部224A、224Bを２つの位置制限部320A、320B内に移入させるためのものである。
【００４４】
例えば、フレキシブル固定枠200の２つの係止部224A、224Bは、ホック状構造であり、固定ブラケット300の２つの位置制限部320A、320Bは、２つの係止部224A、224Bに対応する孔状構造（ホック状構造に対応する孔状構造ともいう）であり、２つの係止部224A、224Bが２つの位置制限部320A、320Bに貫通して係合することにより、フレキシブル固定枠200と固定ブラケット300との間の相対的位置を制限するが、これに限らない。
【００４５】
換言すれば、図５に示すように、持上げベルト220は、ベルト本体221の両端のみにおいて枠体210に接続されているので、フレキシブル固定枠200は、持上げベルト220と枠体210との間に第３の隙間T3を有し、第３の隙間T3は、持上げベルト220を２つの位置制限部320A、320Bから離れた方向に弾性変形しやすくし、さらに２つの係止部224A、224Bを２つの位置制限部320A、320Bから移出させるためのものである。
【００４６】
そのほか、持上げベルト220は、ベルト本体221の両端のみにおいて枠体210に接続されているので、持上げベルト220は、ベルト本体221の両端に接続されて持上げベルト220と枠体210との間の接続箇所の接続強度を増加させ、さらに持上げベルト220の使用寿命を増加させる２つの強化部225A、225Bをさらに備えてもよい。
【００４７】
図２、図６及び図１０を参照し、本実施例において、固定ブラケット300は、それぞれブラケット300の両側に位置する、間隔壁350、切欠き360及びロッキング孔をさらに有してもよい。例えば、間隔壁350は、固定ブラケット300の第５の側C2に位置し、切欠き360は、固定ブラケット300の第６の側C3に位置し、ロッキング孔は、第２の係合部340と固定ブラケット300の同一の側面に位置し、間隔壁350は、フレキシブル固定枠200を遮るためのものであり、切欠き360は、配線（不図示）の穿設用の空間を提供するためのものであり、ロッキング孔は、ロッキング部材（不図示）が穿設されることにより、固定ブラケット300をシャーシ500に固定するためのものである。
【００４８】
以上、本発明におけるハードディスク組立装置100の構造を説明した。以下、ハードディスク400をハードディスク組立装置100によりシャーシ500に組み立てる組立工程を説明する。
【００４９】
図４、図５及び図７を参照し、まず、ハードディスク400をフレキシブル固定枠200に組み立てる工程を説明する。ハードディスク400を用意する。ハードディスク400の第１の側A1をフレキシブル固定枠200の第３の側B1における第１の側壁212の内壁面に向ける。ハードディスク400の第１の側A1における第１の位置決め部410をフレキシブル固定枠200の第１の側壁212の内壁面における第３の位置決め部234に位置合わせする。また、フレキシブル固定枠200の第１の側壁212の内壁面における第３の位置決め部234をハードディスク400の第１の側A1における第１の位置決め部410に貫通させ、ハードディスク400の第１の側A1をフレキシブル固定枠200の第３の側B1に固定する。
【００５０】
次いで、図４、図５及び図８を参照し、ハードディスク400の第２の側A2をフレキシブル固定枠200の第４の側B2に固定する工程を説明する。フレキシブル固定枠200の第４の側B2における第２の側壁213をフレキシブル固定枠200の第３の側B1における第１の側壁212から離れた方向に弾性変形させるように力を加えることにより、フレキシブル固定枠200の枠体210の内部における収容空間を増加させる。ハードディスク400の第２の側A2をフレキシブル固定枠200の枠体210の内部の収容空間に移入し、ハードディスク400をフレキシブル固定枠200の底枠211にもたせ掛ける。また、フレキシブル固定枠200の第４の側B2における第２の側壁213に加えられた力を解放することで、フレキシブル固定枠200の第４の側B2の内壁面における第４の位置決め部213aをハードディスク400の第２の側A2における第２の位置決め部420に貫通させることにより、ハードディスク400の第２の側A2をフレキシブル固定枠200の第４の側B2に固定する。このとき、ハードディスク400は、図９に示すように、第３の位置決め部234が第１の位置決め部410（例えば、ハードディスク400における既存のねじ孔）を貫通し、第４の位置決め部213aが第２の位置決め部420（例えば、ハードディスク400における既存のねじ孔）を貫通することにより、フレキシブル固定枠200に堅固に固定されることができる。
【００５１】
次いで、図４、図６及び図１０を参照し、フレキシブル固定枠200を固定ブラケット300に組み立てる工程を説明する。フレキシブル固定枠200の第３の側B3を固定ブラケット300の底側C1の内壁面に向ける。フレキシブル固定枠200の第３の側B1における第１のガイド部212aを固定ブラケット300の底側C1における第２のガイド部310に挿入するとともに、フレキシブル固定枠200の２つの係止部224A、224Bを固定ブラケット300の第５の側C2及び第６の側C3における案内部330A、330Bに当接させることにより、フレキシブル固定枠200を、固定ブラケット300に正確に組み立てられる正確な組立位置に案内する。下向きの圧力を加えてフレキシブル固定枠200の持上げベルト220を弾性変形させることにより、フレキシブル固定枠200の２つの係止部224A、224Bを２つの案内部330A、330Bから離れる（２つの位置制限部320A、320Bから離れるともいう）方向に移動させる。下向きの圧力を連続的に加えてフレキシブル固定枠200の第３の側B3を固定ブラケット300の底側C1にもたせ掛ける。また、持上げベルト220の２つの押圧部223に押圧力を加えてフレキシブル固定枠200の持上げベルト220を弾性変形させるとともに、フレキシブル固定枠200の２つの係止部224A、224Bを固定ブラケット300の２つの位置制限部320A、320Bの方向に移動させて２つの位置制限部320A、320Bに係合させることにより、フレキシブル固定枠200を固定ブラケットに固定する。このとき、フレキシブル固定枠200の第３の側B1における２つの第１のガイド部212aは、固定ブラケット300の底側C1における２つの第２のガイド部310に係合し、また、フレキシブル固定枠200は、図２示すように、２つの係止部224A、224Bと２つの位置制限部320A、320Bとの間の係合力により固定ブラケット300に堅固に固定されることができる。
【００５２】
そして、図１〜図３を参照し、固定ブラケット300をシャーシ500に組み立てる工程を説明する。固定ブラケット300の第２の係合部340をシャーシ500の第１の係合部510に位置合わせする。固定ブラケット300をシャーシ500の方向に移動させ、固定ブラケット300の第２の係合部340をシャーシ500の第１の係合部510に移入させる。また、下向きの圧力を加えて固定ブラケット300の第２の係合部340をシャーシ500の第１の係合部510に係合させることにより、固定ブラケット300をシャーシ500に固定する。このとき、ハードディスク400は、図１に示すように、既にフレキシブル固定枠200及び固定ブラケット300によりシャーシ500に堅固に固定されている。これによって、本発明のハードディスク組立装置100では、ハードディスク400は、ハードディスク組立装置100によりシャーシ500内に迅速に組み立てられることができるので、ハードディスク400の生産ライン上の組立過程が迅速であるという利点を持ち、組立時間の浪費を低減させて製品の生産能力を向上させるとともに、組立コストを低減させることができる。一方で、プラスチック材料製のフレキシブル固定枠200は、外部からの振動（例えば、シャーシ500からの振動）を吸収できるので、ハードディスク400を外部からの振動の影響を受けないように保護し、さらに、ハードディスク400の使用寿命を高めることができる。
【００５３】
なお、固定ブラケット300の第２の係合部340がシャーシ500の第１の係合部510に係合した後、固定ブラケット300をシャーシ500に一層堅固に固定するために、さらにロッキング部材（不図示）を固定ブラケット300のロッキング孔にロッキングしてもよい。
【００５４】
続いて、図１及び図２を参照し、ハードディスク400をシャーシ500から迅速に取り外す工程を説明する。フレキシブル固定枠200の持上げベルト220における持上げ部222に持上げ力を加えてフレキシブル固定枠200の２つの係止部224A、224Bを固定ブラケット300の２つの位置制限部320A、320Bから離れる方向に移動させることにより、フレキシブル固定枠200と固定ブラケット300との間の結合を解放する。また、持上げ力を連続的に加えてフレキシブル固定枠200を固定ブラケット300から移出させる。このとき、フレキシブル固定枠200を、固定ブラケット300がシャーシ500に固定されたまま、何のツールも頼らずに固定ブラケット300から直接に抜き取ることができる。次いで、上記したハードディスク400をフレキシブル固定枠200に組み立てる工程とは反対の工程により、何のツールも利用せずに、フレキシブル固定枠200からハードディスク400を直接に取り外すことができる。ここで関連工程を重複して述べない。
【００５５】
換言すれば、ユーザがハードディスク400の交換又はメンテナンスを必要とする場合、本発明のハードディスク組立装置100のクイックリリース設計により、何のツールも頼らずにフレキシブル固定枠200を固定ブラケット300から直接に抜き取るとともに、ハードディスク400をフレキシブル固定枠から抜き取ることができる。ハードディスク400の取り外しは、迅速で便利であるので、従来の組立におけるねじの使用の必要を免除することができる。ハードディスクの組立、メンテナンス及び交換のいずれも、何の分解組立ツールも要らないため、ハードディスクの組立、メンテナンス及び交換における便利性を向上させることもできる。
【００５６】
最後に説明すべきこととして、以上の各実施例は、本発明の技術方案を説明するためのものに過ぎず、それを制限するものではない。上記した各実施例を参照して本発明を詳しく説明したが、本分野の技術者は、依然として前記各実施例に記載の技術手段を修正し、或いはその一部又は全部の技術的特徴に等価の置換を行うことができることを理解すべきである。これらの修正又は置換は、対応する技術手段の本質を本発明の各実施例の技術方案の範囲から逸脱させるものではない。
【符号の説明】
【００５７】
100 : ハードディスク組立装置
200 : フレキシブル固定枠
210 : 枠体
211 : 底枠
211a : 第１の接続部
211a1 : 窪み
211b : 第２の接続部
211c : 第３の接続部
211d : 第４の接続部
211e : 第５の接続部
211f : 第６の接続部
211g : 第７の接続部
212 : 第１の側壁
212a : 第１のガイド部
212b : 第１の係止孔
212c : 第２の係止孔
213 : 第２の側壁
213a : 第４の位置決め部
220 : 持上げベルト
221 : ベルト本体
222 : 持上げ部
223 : 押圧部
224A、224B : 係止部
225A、225B : 強化部
230 : 位置決め部材
231 : 本体
232 : 貫入部
233 : バッファ部
234 : 第３の位置決め部
300 : 固定ブラケット
310 : 第２のガイド部
320A、320B : 位置制限部
330A、330B : 案内部
340 : 第２の係合部
350 : 間隔壁
360 : 切欠き
400 : ハードディスク
410 : 第１の位置決め部
420 : 第２の位置決め部
500 : シャーシ
510 : 第１の係合部
A1 : 第１の側
A2 : 第２の側
B1 : 第３の側
B2 : 第４の側
C1 : 底側
C2 : 第５の側
C3 : 第６の側
O1 : 第１の開口
O2 : 第２の開口
T1 : 第１の隙間
T2 : 第２の隙間
T3 : 第３の隙間
【図１】
2020009525.tif 000003
【図２】
2020009525.tif 000004
【図３】
2020009525.tif 000005
【図４】
2020009525.tif 000006
【図５】
2020009525.tif 000007
【図６】
2020009525.tif 000008
【図７】
2020009525.tif 000009
【図８】
2020009525.tif 000010
【図９】
2020009525.tif 000011
【図１０】
2020009525.tif 000012